(57)【要約】【課題】  必要に応じて一つの洗浄機を使い分けることにより浴槽と洗い場の一方に個別にそれぞれ集中的に散水可能であり、浴室全体が濡れるのを防止できる簡素な構成の浴室洗浄装置を提供する。【解決手段】  浴室洗浄装置１は、浴室２の内部に設けられたフレキシブルな導水管２０と、導水管の先端部に接続され散水部から散水するための持ち運び可能な洗浄機９と、洗浄機が浴槽３の内部に集中的に散水するように洗浄機を着脱可能に保持するための浴槽側保持部１０と、洗浄機が洗い場４に集中的に散水するように洗浄機を着脱可能に保持するための洗い場側保持部１１とを備えている。【選択図】    図２
2005334183.tif 000002
【特許請求の範囲】
【請求項１】
浴槽と洗い場とを有する浴室の内部に設けられたフレキシブルな導水管と、
この導水管の先端部に接続され、この導水管を介して供給される冷水または湯水を散水部から散水するための持ち運び可能な洗浄機と、
前記導水管に接続されたこの洗浄機が前記浴槽の内部に集中的に散水するようにこの洗浄機を着脱可能に保持するための浴槽側保持部と、
前記導水管に接続された前記洗浄機が前記洗い場に集中的に散水するようにこの洗浄機を着脱可能に保持するための洗い場側保持部とを備えたことを特徴とする浴室洗浄装置。
【請求項２】
請求項１に記載の浴室洗浄装置であって、前記浴槽側保持部は浴槽蓋に設けられ、前記洗浄機がこの浴槽側保持部に保持された状態で、前記散水部は前記浴槽の内面に相対していることを特徴とする浴室洗浄装置。
【請求項３】
請求項１または２に記載の浴室洗浄装置であって、
前記洗い場側保持部は、前記浴槽のフランジより低い高さ位置で且つ前記浴槽に近く邪魔にならない浴室壁の所定位置に設けられ、
前記洗浄機が前記洗い場側保持部に保持された状態で、前記散水部は前記洗い場に相対していることを特徴とする浴室洗浄装置。
【請求項４】
請求項１，２または３に記載の浴室洗浄装置であって、前記洗い場側保持部に保持された前記洗浄機は、ユーザーの入浴前に前記散水部から湯水を前記洗い場に集中的に散水してこの洗い場を暖めることを特徴とする浴室洗浄装置。
【請求項５】
請求項１ないし４のいずれかの項に記載の浴室洗浄装置であって、前記洗浄機は、手動または自動で洗剤を注入するとともにこの洗剤を前記冷水または湯水に混合する機能を有していることを特徴とする浴室洗浄装置。
【請求項６】
請求項５に記載の浴室洗浄装置であって、前記洗浄機は、前記洗剤を貯留可能な洗剤貯留部を有し、操作部を操作することにより所定量の前記洗剤が前記洗浄機の内部流路に供給可能であることを特徴とする浴室洗浄装置。
【請求項７】
請求項６に記載の浴室洗浄装置であって、前記洗浄機の前記操作部は、前記洗剤の供給を禁止するためのチャイルドロック機能を有していることを特徴とする浴室洗浄装置。
【発明の詳細な説明】
【技術分野】
【０００１】
本発明は、冷水または湯水（温水。以下同じ）を浴槽内または洗い場に散水して洗浄などを行うための浴室洗浄装置に関する。
【背景技術】
【０００２】
近時の浴室（たとえば、浴室ユニット）は、全体として室内空間が広くなっており、浴槽自体も容量が大きくなる傾向にある。こうした傾向は、入浴を快適にする反面、浴室内の浴槽や洗い場を洗浄する際に大きな負担を強いることになり、特に、高齢者世帯にとってこの洗浄作業の軽減が求められている。
そこで、浴室を洗浄するための洗浄装置に関する技術が提案されている。たとえば、本発明の関連技術として、本出願人は、特許文献１（特開２００４−６５８５２号公報）で浴室散水装置を提案している。
この浴室散水装置は、浴槽に貯留されている湯水などを、浴室の内部に設けられたシャワーから浴室内に散水して概略洗浄を行い、その後、シャワーへの流路を切換えて、給水・給湯管から清浄な湯水などをシャワーから浴室内に散水して濯ぎを行うことにより、浴室を洗浄するようになっている。
【０００３】
一方、特許文献２（特開平１１−３１３７７２号公報）には、浴槽洗浄装置が記載されている。この浴槽洗浄装置は、風呂蓋（浴槽蓋）の一方の面に複数のノズルを設け、この複数のノズルに洗浄液を供給するための洗浄管（配管）を風呂蓋内に配設している。
これにより、浴槽の洗浄を行うとともに、風呂蓋を裏返すことにより浴室の洗浄も行えるようになっている。
【０００４】
【特許文献１】特開２００４−６５８５２号公報
【特許文献２】特開平１１−３１３７７２号公報
【発明の開示】
【発明が解決しようとする課題】
【０００５】
特許文献１では、シャワーから浴室内に散水して浴室全体を洗浄するようにしているが、浴槽と洗い場を個別に洗浄できるとともに洗浄時に浴室全体が濡れるのを防止することができる技術が求められていた。
【０００６】
一方、特許文献２に記載の従来の浴槽洗浄装置は、浴槽の洗浄と浴室全体の洗浄を行えるが、洗い場に集中的に散水して洗浄することはできず、また、浴室を洗浄するとき浴室全体が濡れてしまうという課題があった。
この従来の浴槽洗浄装置は、洗浄管を風呂蓋の内部に配設する構造なので、洗浄専用の特殊な風呂蓋を準備する必要があり、この風呂蓋は構成が複雑なので浴槽洗浄装置全体が複雑な構成になっていた。
風呂蓋の成形が困難で耐久性も劣る可能性があり、また、洗浄管が内部にあるので風呂蓋自体がかなり重くなってその取扱いに支障が生じる可能性もあった。
【０００７】
本発明は、このような課題を解決するためになされたもので、必要に応じて一つの洗浄機を使い分けることにより浴槽と洗い場の一方に個別にそれぞれ集中的に散水可能であり、浴室全体が濡れるのを防止することができる簡素な構成の浴室洗浄装置を提供することを目的とする。
【課題を解決するための手段】
【０００８】
上述の目的を達成するため、本発明にかかる浴室洗浄装置は、浴槽と洗い場とを有する浴室の内部に設けられたフレキシブルな導水管と、この導水管の先端部に接続され、この導水管を介して供給される冷水または湯水を散水部から散水するための持ち運び可能な洗浄機と、前記導水管に接続されたこの洗浄機が前記浴槽の内部に集中的に散水するようにこの洗浄機を着脱可能に保持するための浴槽側保持部と、前記導水管に接続された前記洗浄機が前記洗い場に集中的に散水するようにこの洗浄機を着脱可能に保持するための洗い場側保持部とを備えている。
前記浴槽側保持部は浴槽蓋に設けられ、前記洗浄機がこの浴槽側保持部に保持された状態で、前記散水部は前記浴槽の内面に相対しているのが好ましい。
前記洗い場側保持部は、前記浴槽のフランジより低い高さ位置で且つ前記浴槽に近く邪魔にならない浴室壁の所定位置に設けられ、前記洗浄機が前記洗い場側保持部に保持された状態で、前記散水部は前記洗い場に相対しているのが好ましい。
前記洗い場側保持部に保持された前記洗浄機は、ユーザーの入浴前に前記散水部から湯水を前記洗い場に集中的に散水してこの洗い場を暖めるようにするのが好ましい。
前記洗浄機は、手動または自動で洗剤を注入するとともにこの洗剤を前記冷水または湯水に混合する機能を有しているのが好ましい。
たとえば、前記洗浄機は、前記洗剤を貯留可能な洗剤貯留部を有し、操作部を操作することにより所定量の前記洗剤が前記洗浄機の内部流路に供給可能であるのが好ましい。
また、前記洗浄機の前記操作部は、前記洗剤の供給を禁止するためのチャイルドロック機能を有しているのが好ましい。
【発明の効果】
【０００９】
本発明の浴室洗浄装置は、上述のように構成したので、必要に応じて一つの洗浄機を使い分けることにより浴槽と洗い場の一方に個別にそれぞれ集中的に散水可能であり、浴室全体が濡れるのを防止することができ、且つ浴室洗浄装置全体を簡素な構成にすることができる。
【発明を実施するための最良の形態】
【００１０】
下記の実施例では、フレキシブルな導水管を浴室の内部に設け、この導水管の先端部に洗浄機を接続している。そして、浴槽側保持部に洗浄機が保持されたときは、この洗浄機が浴槽の内部に冷水または湯水（以下、湯水等という）を集中的に散水し、洗い場側保持部に洗浄機が保持されたときは、この洗浄機が洗い場に湯水等を集中的に散水する。
こうして、一つの洗浄機を必要に応じて持ち運んで使い分け、浴槽と洗い場の一方に個別にそれぞれ集中的に湯水等を散水することができるという目的を実現している。この散水は、浴槽と洗い場の洗浄のほか洗い場の暖房のためにも行われる。
【実施例】
【００１１】
以下、本発明にかかる一実施例を図１ないし図７を参照して説明する。
図１は、浴室洗浄装置が設けられた浴室の斜視図、図２（Ａ）〜（Ｃ）は、浴槽に散水して洗浄するときの手順を示す斜視図、図３（Ａ）〜（Ｃ）は、洗い場に散水して洗浄や暖房を行うときの手順を示す斜視図である。
図４（Ａ），（Ｂ），（Ｃ）は、洗浄機を浴槽側保持部に保持する前，保持する途中，保持した後を、それぞれ示す斜視図である。図５（Ａ），（Ｂ）は、洗浄機を洗い場側保持部に保持する前，保持した後をそれぞれ示す斜視図である。図６は洗浄機の正面断面図，図７（Ａ）〜（Ｅ）は洗浄機の動作を示す断面図である。
【００１２】
図１ないし図７に示すように、浴室洗浄装置１は浴室（たとえば、システムバスルームなど浴室ユニット）２に設けられている。浴室２は、一戸建て住宅，集合住宅，ホテルなどに設置されており、浴室ユニットの場合が多いがユニット化されていなくてもよい。浴室２の内部には、浴槽３，洗い場４，カウンター５，鏡６などが設置されている。浴室２の隣りは脱衣場７で、浴室２と脱衣場７との間は開閉扉８により仕切られている。
浴槽３は、防水機能を有して浴室２の底部に配置された防水パン上に設置されている。浴槽３の上部の全周縁にはフランジ１５が形成されている。浴槽蓋１６は、フランジ１５上に着脱自在に設置されて浴槽３の上部開口部１７を覆うことができる。
【００１３】
浴室洗浄装置１は、浴槽３と洗い場４とを有する浴室２の内部に設けられたフレキシブルな導水管２０と、持ち運び可能な洗浄機９とを備えている。洗浄機９は、導水管２０の先端部に接続され、導水管２０を介して供給される冷水または湯水２１（以下、湯水等２１）を散水部２２から散水することができる。
さらに、浴室洗浄装置１は、導水管２０に接続された洗浄機９が浴槽３の内部に湯水等２１を集中的に散水するように洗浄機９を着脱可能に保持するための浴槽側保持部１０と、導水管２０に接続された洗浄機９が洗い場４に湯水等２１を集中的に散水するように洗浄機９を着脱可能に保持するための洗い場側保持部１１とを備えている。浴槽側保持部１０と洗い場側保持部１１は、洗浄機９を一時的に保持するホルダとしての機能を有している。
こうして、浴室洗浄装置１は、一つの洗浄機９を持ち運んで使い分けるという簡素な構成で、浴槽３と洗い場４の一方に個別に湯水等２１をそれぞれ集中的に散水可能であり、浴室２の全体が濡れるのを防止することができる。
【００１４】
浴室２には、湯水等２１を供給するための供給口２３が設けられている。本実施例では、供給口２３が浴槽３のフランジ１５の所定位置に配置されているが、供給口２３は、浴室壁２４，鏡６の枠，カウンター５など他の場所に配置された場合であってもよい。
浴室２の外部（または、内部）に設けられた給水・給湯管には、供給口２３に供給される湯水等２１を供給・停止するための開閉弁が設けられている。この開閉弁としては、脱衣場７に設けられた操作スイッチ７０の操作により出力される電気信号で管路を開閉する電磁弁が使用されている。洗浄機９に供給される湯水等２１の流れ状態はシーケンス制御されており、操作スイッチ７０から出力される電気信号で電磁弁が自動的に開閉するようになっている。
【００１５】
供給口２３には、所定長さを有する導水管２０が接続されている。導水管２０は、合成樹脂，ゴム，金属などフレキシブルな素材により形成され、任意の形状に自在に曲がることができる。導水管２０の先端部には洗浄機９が取付けられているので、湯水等２１は、供給口２３から導水管２０を通って洗浄機９に流入し、散水部２２から散水される。
散水部２２は、複数の噴出口２５が形成されたノズルである。湯水等２１は、この噴出口２５から浴槽３の内部全体または洗い場４の全体に行き渡るように、勢いよく噴出する。
【００１６】
浴槽側保持部１０は浴槽蓋１６に設けられており、洗浄機９が浴槽側保持部１０に保持された状態で、洗浄機９の散水部２２は浴槽３の内面に相対している。洗浄機９が湯水等２１を浴槽３の内部に散水するときは、浴槽蓋１６が浴槽３を覆っているので、湯水等２１は散水部２２から浴槽３の内部のみに集中的に散水される。
したがって、浴槽３の洗浄時に、浴室２の浴槽３の内部以外の部分（たとえば、洗い場４，浴室壁２４，浴槽蓋１６の表面）は、湯水等２１がかからないので濡れることはない。
なお、浴槽側保持部１０を浴槽蓋１６に設けた場合を示したが、浴槽側保持部１０を浴槽蓋１６以外の場所たとえば浴槽３の本体または浴室壁２４などに設けて、この浴槽側保持部１０に保持された洗浄機９が、浴槽３の内部に湯水等２１を集中的に散水するようにしてもよい。
【００１７】
洗い場側保持部１１は、浴槽３のフランジ１５より低い高さ位置で且つ浴槽３に近く邪魔にならない浴室壁２４の所定位置に設けられている。洗浄機９が洗い場側保持部１１に保持された状態で、散水部２２は洗い場４に相対している。
これにより、フランジ１５より低い高さ位置にある洗い場側保持部１１に保持された洗浄機９は、湯水等２１を洗い場４に集中的に散水することができる。したがって、洗い場４の洗浄時に、洗い場４以外の部分（たとえば、浴槽３の内部，浴室壁２４，浴槽蓋１６）は、湯水等２１がかからないので濡れることはない。
洗い場側保持部１１は、浴槽３に近い位置に設けられている。その結果、導水管２０の長さ寸法を短くすることができ、また、洗浄機９を、洗い場側保持部１１と浴槽側保持部１０との間で移し替えるときの移動距離が短くなり、洗浄作業の負担が軽減する。また、洗浄機９を洗い場側保持部１１に保持した状態では、洗浄機９は邪魔にならない。
【００１８】
洗い場側保持部１１に保持された洗浄機９は、ユーザーＢの入浴前に、散水部２２から湯水を洗い場４に集中的に散水してこの洗い場４を暖めることができる。このように、洗い場洗浄に関しては、入浴前に湯水を洗い場４に散水することにより、洗い場４が暖められるとともに、散水された湯水の湯気で浴室２の内部全体も暖まるので、寒い季節でも快適に入浴することができる。
入浴前に洗い場４と浴室２の内部全体が既に暖まっていれば、ユーザーＢの入浴時にヒートショックを防止することができ、健康面で好適である。「ヒートショック」は、暖かい場所から寒い場所へ人が移動したとき、身体が受ける急激な温度変化のことである。
【００１９】
洗浄機９は、導水管２０が接続されて外面がほぼ円筒状の洗浄機本体２６と、洗浄機本体２６の上部に着脱可能に取付けられ且つ押し下げ動作の可能なカバー２７と、洗浄機本体２６の下部に設けられた散水部２２とを有している。
散水部２２は、洗浄機本体２６の下部中心に位置し、洗浄機本体２６の下面２８から下方に突出して設けられている。複数の噴出口２５を有する散水部２２は、洗浄機本体２６の内部に形成された内部流路２９を介して導水管２０と連通している。
洗浄機本体２６には、下面２８の上部に円環状の係合面３０が形成されている。下面２８と係合面３０との間が、浴槽側保持部１０に係合する係合部３２になっている。
下面２８と係合面３０との間には、複数（ここでは、二つ）の羽根状部３１が突出して取付けられている。二つの羽根状部３１は、係合部３２に取付けられ、１８０度離れ反対方向を向いて洗浄機本体２６の半径方向外方に突出している。
【００２０】
浴槽側保持部１０は、浴槽蓋１６の所定位置（たとえば、平面視でほぼ中央部）に配置されている。浴槽側保持部１０は、浴槽蓋１６の上面１６ａに密着するフランジ部４０と、フランジ部４０と一体的に形成された円筒部４２とを有している。円筒部４２は、浴槽蓋１６の上面１６ａから下面１６ｂまで貫通する孔４１を有している。なお、浴槽蓋１６の下面１６ｂには、この下面１６ｂに密着する他のフランジ部を設けるのが強度上好ましい。
浴槽側保持部１０には、羽根状部３１の数と同数（ここでは、二つ）の凹部４３が、孔４１の外周部から半径方向外方に窪んで形成されている。二つの凹部４３は、互いに１８０度離れて配置されている。凹部４３は、羽根状部３１が上下方向に通過可能なように、フランジ部４０から浴槽蓋１６の下面１６ｂまで貫通形成されている。
【００２１】
浴槽側保持部１０に洗浄機９を取付ける場合には、図２，図４（Ａ）に示すように、浴槽３に浴槽蓋１６を取付け、次に、洗浄機９を洗い場側保持部１１から取外して浴槽側保持部１０のところに移動させる。このとき、導水管２０は自在に変形するので、洗浄機９を導水管２０に取付けたままで容易に持ち運ぶことができる。
次いで、洗浄機９を下方に移動させて、洗浄機本体２６の下部を浴槽側保持部１０の孔４１内に挿入する。洗浄機９の二つの羽根状部３１を浴槽側保持部１０の二つの凹部４３の位置に合わせて、矢印Ｃに示すように洗浄機９を浴槽側保持部１０に係合させる。
このとき、二つの羽根状部３１を、凹部４３を通過させて浴槽蓋１６の下面１６ｂより下方に位置させる。すると、散水部２２は、浴槽蓋１６の下面１６ｂより下方に位置して浴槽３の内面に相対する。
【００２２】
こうして、図４（Ｂ）に示すように、洗浄機本体２６の下部が孔４１に挿入されると、フランジ部４０の上面に洗浄機本体２６の係合面３０が密着して洗浄機９が浴槽側保持部１０上に載置される。
次いで、洗浄機９の全体を矢印Ｄに示すように回転させると、羽根状部３１が、浴槽蓋１６の下面１６ｂ（または、浴槽側保持部１０の下方のフランジ部）に圧接する。すなわち、洗浄機９を回すと、図４（Ｃ）に示すように、羽根状部３１が浴槽蓋１６の下面１６ｂ側に回り込んでロックされる。
浴槽蓋１６が羽根状部３１と係合面３０との間に挟まれた状態で、係合面３０がフランジ部４０に密着し、羽根状部３１が浴槽蓋１６の下面１６ｂに圧接する。これにより、洗浄機９が上下方向に関して位置決め保持される。また、係合部３２が浴槽側保持部１０の孔４１に係合するので、洗浄機９は横方向（浴槽蓋１６の上面１６ａと平行な方向）に関して位置決め保持される。
このようにして、洗浄機９を浴槽側保持部１０に保持した状態で、洗浄機９に湯水等２１を供給すれば、湯水等２１は、散水部２２から浴槽３の内部に集中的に散水される（図２（Ｃ））。
なお、洗浄機９を浴槽側保持部１０から取外す場合には、前記操作とは逆の操作を行えばよい。
【００２３】
図３，図５に示すように、洗い場側保持部１１は、矩形状をなして浴室壁２４に取付けられている。洗い場側保持部１１は、円筒状内周面を有し切欠き部５１が形成された収納部５０を有している。
洗浄機本体２６には、外周面が円筒状をなす係合部５２の根元部５３が、一体的に突出形成されている。係合部５２の上部に、導水管２０の先端部２０ａが接続されている。矢印Ｅに示すように、係合部５２が収納部５０に着脱可能に係合することにより、洗浄機９が洗い場側保持部１１に保持されるようになっている（図５（Ａ））。
このとき、切欠部５１のところに根元部５３が位置して、係合部５２は、収納部５０から横方向（水平方向）に離脱しないように構成されている。また、収納部５０に係合している係合部５２は、下方に脱落しないように上下方向に位置決め保持されている（図５（Ｂ））。
こうして、洗浄機９を洗い場側保持部１１に保持すれば、洗浄機９が湯水等２１を洗い場４に集中的に散水して、洗い場４の洗浄や暖房などを行うことができる（図３（Ｃ））。洗浄機９を洗い場側保持１１に保持した状態が、浴室洗浄装置１の待機状態でもあり、この状態でユーザーＢは入浴することができ、また、浴室２を使用しないときはこのまま放置しておくことになる。
【００２４】
図６，図７に示すように、洗浄機９は、手動または自動で（本実施例では、手動で）洗剤６０を注入するとともに洗剤６０を湯水等２１に混合する機能を有している。湯水等２１に洗剤が混合された混合液を散水部２２から散水して、浴槽３や洗い場４を洗浄することができるので、洗浄の効果がより発揮されて浴槽３や洗い場４が清浄になる。
洗浄機９は、洗剤６０を貯留可能な洗剤貯留部６１を有している。操作部を構成するカバー２７を下方に押し込むことにより、一回の洗浄で使用するための所定量の洗剤６０を、洗浄機９の内部流路２９に注入可能である。内部流路２９には、注入された所定量の洗剤６０を一時的に貯留可能な凹部６６が形成されている。
これにより、洗浄機９は、洗い場４を洗浄する際に最適な量の洗剤６０を含む混合液を散水部２２から散水することができる。その結果、効率的に洗浄を行うことができるとともに、必要以上の洗剤６０を使わなくてすむので、あとの濯ぎが楽で且つ経済的である。
【００２５】
洗浄機９のカバー２７は、洗剤貯留部６１の上部開口６３を覆って、洗浄機本体２６に着脱可能にねじ込んで取付けられている。カバー２７の内方には、このカバー２７を常に上方に付勢する圧縮ばね６２が設けられている。カバー２７を洗浄機本体２６に取付けると、洗剤貯留部６１の内部は密閉された状態になっている。
洗浄機本体２６には、導水管２０から散水部２２の噴出口２５まで連通する内部流路２９が形成されている。洗剤貯留部６１の下部の出口部６４には逆止弁６５が設けられており、逆止弁６５は内部流路２９に連通している。逆止弁６５は、普段はばね力により押し上げられて出口部６４を塞いでおり、洗剤６０が内部流路２９に押し出されるのを防止している。
【００２６】
カバー２７などを有する操作部は、洗剤６０の供給を禁止するためのチャイルドロック機能を有している。たとえば、カバー２７は、洗浄機本体２６に取付けられた状態で所定角度（たとえば、８分の１回転）回転させた状態のときにのみ、このカバー２７を下方に押し込むことができるようなチャイルドロック機構を構成している。
カバー２７を、所定角度回転させたままの状態で、圧縮ばね６２のばね力に抗して下方に押せば、矢印Ｇに示すように、所定量の空気が洗剤貯留部６１の内部に供給される。その結果、洗剤貯留部６１の内部の空気圧が上昇して、洗剤貯留部６１内の所定量の洗剤６０が、ばね力に抗して押し下げられた逆止弁６５を通って内部流路２９に供給される。
このように、操作部にチャイルドロック機構を設けたので、幼い子供などが悪戯でカバー２７を何度も操作して、洗剤貯留部６１に貯留されている洗剤６０を押し出すといったトラブルを防止することがきる。
【００２７】
したがって、この洗浄機９の操作手順としては、図７（Ａ）に示すように、カバー２７を外して、洗剤貯留部６１に洗剤６０を補充する。この補充の頻度としは、たとえば、１週間ないし１ヶ月に１回位が手間が掛からず好ましい。
次いで、図７（Ｂ）に示すように、カバー２７を洗浄機本体２６にねじ込んで取付ける。浴槽３または洗い場４を洗浄するときには、その準備作業として、図７（Ｃ）の矢印Ｈに示すように、カバー２７を８分の１回転させてチャイルドロック機構をアンロック状態にする。
そして、矢印Ｊに示すようにカバー２７の上部を押して、矢印Ｋに示すようにカバー２７を押し下げる。すると、矢印Ｌに示すように圧縮ばね６２が縮んで、カバー２７内の空気が矢印Ｇに示すように洗剤貯留部６１内に流入する。
すると、洗剤貯留部６１内の空気圧が上昇して、矢印Ｍに示すように、所定量の洗剤６０が逆止弁６５を通って内部流路２９に注入される。こうして、洗剤貯留部６１から内部流路２９に押し出された所定量の洗剤６０は、内部流路２９内の凹部６６に一旦貯留される。
【００２８】
次いで、図７（Ｄ）に示すように、カバー２７から手を離せば、圧縮ばね６２のばね力により、カバー２７は矢印Ｎに示すように上昇して上方の所定位置に戻る。
その後、図７（Ｅ）に示すように、浴室洗浄装置１の電磁弁を開いて導水管２０から洗浄機９に湯水等２１を供給する。すると、湯水等２１は、凹部６６に貯留されていた洗剤６０と混合して混合液になり、この混合液は散水部２２の噴出口２５から勢いよく噴出する。
これにより、浴槽３または洗い場４の汚れは混合液で除去される。こうして洗剤６０を含む混合液で洗浄した後、洗浄機９の散水部２２から清浄な湯水等２１を散水すれば、混合液を除去するための濯ぎがなされて、浴槽３や洗い場４は清浄な状態になる。本実施例の洗浄機９は、洗剤６０の供給，混合に動力を使用しないので、構成が簡素で操作も簡単である。
【００２９】
浴槽３を洗浄する手順としては、図２（Ａ）に示すように、ユーザーＢは、洗浄機９を洗い場側保持部１１から取外して、浴槽側保持部１０に移動させてセットする。その後、図２（Ｂ）に示すようにユーザーＢが浴室２から脱衣場７に出て操作スイッチ７０を操作すれば、電気信号が出力されて電磁弁が開き、湯水等２１が供給口２３から導水管２０を流れて洗浄機９に供給される。
こうして、操作スイッチ７０から出力される信号により、浴槽３の洗浄がスタートする。その後、洗浄機９に供給される湯水等２１の流れ状態がシーケンス制御されて、図２（Ｃ）に示すように浴槽３の洗浄が行われる。
たとえば、浴槽３の汚れが少ないときには洗剤６０を含まない湯水等２１のみで洗浄する場合や、浴槽３の汚れが酷いときには、洗浄機９は最初に洗剤６０を含む混合液を噴射したのち、所定時間放置し、その後洗剤を含まない湯水等２１を噴射して濯ぐのが好ましい。
浴槽３の洗浄が完了すると、ユーザーＢは、洗浄機９を浴槽側保持部１０から取外し、洗い場側保持部１１に収納して待機させる。
【００３０】
次に、洗い場４を洗浄するときには、図３（Ａ）に示すように、ユーザーは、洗浄機９が洗い場側保持部１１に収納された待機状態であることを確認する。待機状態にないときには、洗浄機９を洗い場側保持部１１にセットする。
次いで、図３（Ｂ）に示すように、ユーザーＢが浴室２から出て脱衣場７で操作スイッチ７０を操作することにより、洗い場４の洗浄がスタートする。すると、図３（Ｃ）に示すように、洗浄機９から湯水等２１が噴射されて洗い場４が洗浄される。この場合も、上述の浴槽３の洗浄と同じようなシーケンス制御が行われる。
また、寒い季節などに、ユーザーＢの入浴前に洗い場４を暖める場合にも、図３（Ａ）〜（Ｃ）までの手順を行えばよい。この場合、洗い場４が余り汚れていないときには、洗浄の目的は少ないので洗剤６０は使わなくてもよい。
【００３１】
このように本発明では、浴槽３を洗浄するときには、洗浄機９を浴槽３のところに持っていって散水し、一方、洗い場４を洗浄したり暖めたりするときには、同じ洗浄機９を洗い場４のところに持っていって散水している。
こうして、一つの洗浄機９を持ち運んで使い分けることにより、浴槽３と洗い場４の一方のところにそれぞれ近い位置から集中的に散水できるので、洗浄機９で噴射された湯水等２１が対象物に対して勢いよく当たる。その結果、浴槽３のみまたは洗い場４のみを効率的に且つ少ない水量で洗浄でき、また、洗い場４のみを短時間で暖めることもできる。
一つの洗浄機９で浴槽３と洗い場４の洗浄ができるので、浴室２の洗浄作業の負担を軽減することができる。また、洗浄時に浴室２の全体や浴槽蓋１６が濡れるのを防止できるので衛生的である。
【００３２】
以上、本発明の一実施例を説明したが、本発明は、上述の実施例に限定されるものではなく、本発明の要旨の範囲で種々の変形，付加などが可能である。
なお、各図中同一符号は同一または相当部分を示す。
【産業上の利用可能性】
【００３３】
本発明は、一戸建て住宅，集合住宅などに設置された浴室ユニットなどに適用可能である。
【図面の簡単な説明】
【００３４】
【図１】図１ないし図７は本発明の一実施例を示す図で、図１は、浴室洗浄装置が設けられた浴室の斜視図である。
【図２】浴槽に散水して洗浄するときの手順を示す斜視図である。
【図３】洗い場に散水して洗浄や暖房を行うときの手順を示す斜視図である。
【図４】図４（Ａ），（Ｂ），（Ｃ）は、洗浄機を浴槽側保持部に保持する前，保持する途中，保持した後を、それぞれ示す斜視図である。
【図５】図５（Ａ），（Ｂ）は、洗浄機を洗い場側保持部に保持する前，保持した後をそれぞれ示す斜視図である。
【図６】洗浄機の正面断面図である。
【図７】洗浄機の動作を示す断面図である。
【符号の説明】
【００３５】
１      浴室洗浄装置
２      浴室
３      浴槽
４      洗い場
９      洗浄機
１０    浴槽側保持部
１１    洗い場側保持部
１５    フランジ
１６    浴槽蓋
２０    導水管
２０ａ  先端部
２２    散水部
２４    浴室壁
２７    カバー（操作部）
２９    内部流路
６０    洗剤
６１    洗剤貯留部
Ｂ      ユーザー
【図１】
2005334183.tif 000003
【図２】
2005334183.tif 000004
【図３】
2005334183.tif 000005
【図４】
2005334183.tif 000006
【図５】
2005334183.tif 000007
【図６】
2005334183.tif 000008
【図７】
2005334183.tif 000009